(57)【特許請求の範囲】
【請求項１】
かごの昇降方向に存在する階の呼びに対して優先的に応答し現在の昇降方向と逆方向に対して登録ができない機能を持ったエレベータにおいて、エレベータのかごの行き先階を指定するためのかご内に設けた複数のかご呼び釦と、かごの位置を検出するためのかご位置検出手段と、かごが最上階又は最下階に着床している際にかごの戸の開時間をカウントするためのタイマーと、かごが最上階又は最下階に着床後戸開開始からの経過時間に対応して最大かご呼び登録数を設定したかご呼び最大登録数設定テーブルと、かごが最上階又は最下階に着床時かご呼び釦の操作により行き先階が入力されて該かご呼び釦による入力がタイマーによって測定された着床後戸開開始からの経過時間に対してかご呼び最大登録数設定テーブルに設定された最大かご呼び登録数以内の場合にかご呼びを登録し且つかご呼び最大登録数設定テーブルに設定された最大かご呼び登録数を超える場合にそれ以上のかご呼びの登録をしないように制御するための制御手段を設けて成ることを特徴とするエレベータのいたずら防止システム。
【請求項２】
かごが最上階又は最下階に着床後戸開開始からの所定時間までのかご呼び最大登録数設定テーブルに設定された最大かご呼び登録数がゼロであることを特徴とする請求項１記載のエレベータのいたずら防止システム。
【請求項３】
かごが最上階又は最下階に着床後戸開開始からの所定時間を超えた状態で呼び釦の操作により行き先階が入力されて該かご呼び釦による入力がタイマーによって測定された着床後戸開開始からの経過時間に対してかご呼び最大登録数設定テーブルに設定された最大かご呼び登録数以内の場合にかご呼びを登録すると共にかご呼びランプを点灯するように制御する制御手段を設けて成ることを特徴とする請求項２記載のエレベータのいたずら防止システム。
【発明の詳細な説明】
【０００１】
【発明の属する技術分野】
本発明は、エレベータのいたずら防止システムに関するものである。
【０００２】
【従来の技術】
従来からエレベータのかごは各階床の乗り場呼び釦、あるいはエレベータのかご内に設けた行き先を指定するかご呼び釦を操作することで、制御手段によりかご駆動回路、戸駆動回路を制御し、エレベータのかごの応答運転を行うようになっている。
【０００３】
ところで、子供がかごに乗ってエレベータかご内に設けた複数のかご呼び釦をいたずらで何回も操作すると、無駄にかごが昇降運転され、運転コストが高くつくとともに、無駄な運転が行われるため実際の使用の支障となるという問題がある。
【０００４】
そこで、従来例にあっては、かご呼び釦の操作回数をカウンターにより計測し、所定回数を超えるといたずらとみなしてかごの戸を開放状態のまま停止するように制御手段により制御するようにしている。
【０００５】
ところが、上記の従来例にあっては、かご呼び釦の操作回数を計測し、所定回数を超えた場合にかごの戸を開放状態のまま停止するように制御するため、かご内に多くの人が乗って混雑している場合には偶発的に所定回数に達する恐れがあり、いたずらでないにもかかわらずエレベータのかごを停止させてしまうという問題がある。また、停止階が少ないエレベータにおいては殆ど効果が期待できない。
【０００６】
また、かごの昇降方向に存在する階の呼びに対して優先的に応答し現在の昇降方向と逆方向に対して登録ができない機能を持ったエレベータ（方向性乗合全自動方式のエレベータ）においては、エレベータのかごの昇降方向と逆の方向の呼びに対して登録をキャンセルする機能を持つことでいたずらなどによる無用のかごの呼びを取消し、かごの無駄な運転を抑制するようにしている。
【０００７】
しかしながら、昇降方向が反転するタイミング、主に最上階及び最下階の着床時には逆呼びキャンセルの機能が解除される。この時、エレベータのかごから降りる乗客がいらずらでかご呼び釦を押すと、かご呼びが登録され、エレベータのかごが無駄に運転されてしまうという問題がある。
【０００８】
【発明が解決しようとする課題】
本発明は上記の点に鑑みてなされたものであり、エレベータのかご内のかご呼び釦をいたずらで操作されて無駄にエレベータが移動するのを防止することができるエレベータのいたずら防止システムを提供することを課題とするものである。
【０００９】
【課題を解決するための手段】
上記課題を解決するために本発明に係るエレベータのいたずら防止システムは、かごの昇降方向に存在する階の呼びに対して優先的に応答し現在の昇降方向と逆方向に対して登録ができない機能を持ったエレベータにおいて、エレベータのかごの行き先階を指定するためのかご内に設けた複数のかご呼び釦１と、かごの位置を検出するためのかご位置検出手段７と、かごが最上階又は最下階に着床している際にかごの戸の開時間をカウントするためのタイマー８と、かごが最上階又は最下階に着床後戸開開始からの経過時間に対応して最大かご呼び登録数を設定したかご呼び最大登録数設定テーブル９と、かごが最上階又は最下階に着床時かご呼び釦１の操作により行き先階が入力されて該かご呼び釦１による入力がタイマー８によって測定された着床後戸開開始からの経過時間に対してかご呼び最大登録数設定テーブル９に設定された最大かご呼び登録数以内の場合にかご呼びを登録し且つかご呼び最大登録数設定テーブル９に設定された最大かご呼び登録数を超える場合にそれ以上のかご呼びの登録をしないように制御するための制御手段４を設けて成ることを特徴とするものである。このような構成とすることで、エレベータのかごが反転するタイミングである最上階又は最下階に着床時にかごの戸の開時間をタイマー８で計測し、戸の開時間によりかごに乗り降りする乗客のおおよその数を推定し、タイマー８によって測定された着床後戸開開始からの経過時間に対して設定された最大かご呼び登録数以内の場合にかご呼びを登録し且つ設定された最大かご呼び登録数を超える場合にそれ以上のかご呼びの登録をしないように制御し、乗り降りする乗客数が少ない（つまり最大かご呼び登録数が少ない）にもかかわらずかご呼び釦１の操作回数がかご呼び最大登録数設定テーブル９に設定された設定数よりも多いと、かごから降りる乗客がいたずらでかご呼び釦１を操作していると推定し、これによりいたずら操作によるエレベータのかごの無駄な運転を防止することができるものである。
【００１０】
また、かごが最上階又は最下階に着床後戸開開始からの所定時間までのかご呼び最大登録数設定テーブル９に設定された最大かご呼び登録数がゼロであることが好ましい。このような構成とすることで、かごが最上階又は最下階に着床後戸開開始からの所定時間まではかごから乗客が降りるだけで乗り場からかご内に未だ一人も乗り込んでいない時間であると推定し、この着床後戸開開始からの所定時間まではかご呼び釦１が操作されるといたずらであるとみなして行き先入力をキャンセルし、エレベータのかごの無駄な運転を防止することができるものである。
【００１１】
また、かごが最上階又は最下階に着床後戸開開始からの所定時間を超えた状態で呼び釦１の操作により行き先階が入力されて該かご呼び釦１による入力がタイマー８によって測定された着床後戸開開始からの経過時間に対して最大登録数設定テーブル９に設定された最大かご呼び登録数以内の場合にかご呼びを登録すると共にかご呼びランプ５を点灯するように制御する制御手段４を設けることが好ましい。このような構成とすることで、かご呼び釦１の操作がいたずらでなく正しく操作された場合にはかご呼びランプ５が点灯し、正常な運転が行われることになる。
【００１２】
【発明の実施の形態】
以下、本発明を添付図面に示す実施形態に基づいて説明する。
【００１３】
図１乃至図３に参考例を示す。エレベータのかご内にはかご内操作盤（図示せず）が設けてあり、このかご内操作盤にかごの行き先階を指定して登録を操作するための複数のかご呼び釦１が設けてある。図１ではかごの行き先階として１階、２階、３階、４階、５階があり、このためかご内操作盤に設けられるかご呼び釦１としては１階用のかご呼び釦１ａ、２階用のかご呼び釦１ｂ、３階用のかご呼び釦１ｃ、４階用のかご呼び釦１ｄ、５階用のかご呼び釦１ｅの５つが設けてある。もちろんかご呼び釦１としては上記の５個にのみ限定されないものである。
【００１４】
かご呼び釦１を操作すると制御手段４に設けたかご呼び登録・取消手段１０に行き先階が入力されるようになっている。かご呼び登録・取消手段１０に行き先階が登録されるとかごが該当する呼び釦１により登録された行き先階に運転されるように制御される。
【００１５】
エレベータのかごにはかごに積載された重量であるかご積載重量を検出するためのかご積載重量検出手段２が設けてある。かご積載重量検出手段２により検出された積載重量検出データは制御手段４に設けたかご呼び登録・取消手段１０に入力されるようになっている。制御手段４にはかご積載重量検出手段２により検出した積載重量に応じて最大かご呼び登録数を設定した図３に示すようなかご呼び最大登録数設定テーブル３が設けてある。このかご呼び最大登録数設定テーブル３はかごへの積載重量と最大かご呼び登録数とを関連付けしたテーブルであり、図３に示すかご呼び最大登録数設定テーブル３ではパターンＡとパターンＢとの２つのパターンが示してある。
【００１６】
かご呼び最大登録数設定テーブル３で関連付けられたかごへの積載重量と最大かご呼び登録数との関係をパターンＡで説明すると、最大積載荷重が１５ｋｇ未満の場合にはかごには乗客がいないとみなして最大かご呼び登録数はゼロとしてかご呼び登録数を登録しない（登録は受付ない）、最大積載荷重が１５ｋｇ以上〜３０ｋｇ未満の場合には子供の乗客が１人いるとみなして最大かご呼び登録数を１以内とし、３０ｋｇ以上〜６０ｋｇ未満は子供２人又は大人１人のいずれかであるとみなして最大は子供２人の場合であるから最大かご呼び登録数を２以内とし、６０ｋｇ以上〜９０ｋｇ未満は子供３人又は大人１人又は子供１人と大人１人又は子供２人と大人１人のいずれかであるとみなして最大は子供３人又は子供２人と大人１人の場合であるから最大呼び登録数を３以内とし、９０ｋｇ以上はかご呼び登録数を無制限としてある。
【００１７】
また、かご呼び最大登録数設定テーブル３で関連付けられたかごへの積載重量と最大かご呼び登録数との関係をパターンＢで説明すると、最大積載荷重が２０ｋｇ未満の場合にはかごには乗客がいないとみなして最大かご呼び登録数はゼロとしてかご呼び登録数を登録しない（登録は受付ない）、最大積載荷重が２０ｋｇ以上〜４０ｋｇ未満の場合には子供の乗客が１人いるとみなして最大かご呼び登録数を１以内とし、４０ｋｇ以上〜７０ｋｇ未満は子供２人又は大人１人のいずれかであるとみなして最大は子供２人の場合であるから最大かご呼び登録数を２以内とし、７０ｋｇ以上〜１００ｋｇ未満は子供３人又は大人１人又は子供１人と大人１人又は子供２人と大人１人のいずれかであるとみなして最大は子供３人又は子供２人と大人１人の場合であるから最大呼び登録数を３以内とし、１００ｋｇ以上はかご呼び登録数を無制限としてある。
【００１８】
上記パターンＡとパターンＢとはエレベータの利用状況に応じていずれかのパターンに選択可能としており、選択手段により選択することでいずれかのパターンが選択されるようになっている。
【００１９】
制御手段４には各かご呼び釦１に対応して設けられたかご呼びランプ５の点灯、消灯を制御するためのかご呼び釦ランプ制御手段１１が設けてあり、かご呼び釦１の操作により行き先階が入力されて該かご呼び釦１による入力がかご積載重量検出手段２により検出した積載重量に対してかご呼び最大登録数設定テーブル３に設定された最大かご呼び登録数以内の場合にはかご呼びが上記のようにかご呼び登録・取消手段１０に登録され、かご呼び釦１による入力がかご呼び登録・取消手段１０に登録されると制御手段４に設けたかご呼び釦ランプ制御手段１１により該当するかご呼び釦１に対応して設けたかご呼びランプ５が点灯するように制御されるものである。
【００２０】
ここで、図１ではかご呼び釦１が５個設けてあって、これに対応してかご呼びランプ５として１階用のかご呼びランプ５ａ、２階用のかご呼びランプ５ｂ、３階用のかご呼びランプ５ｃ、４階用のかご呼びランプ５ｄ、５階用のかご呼びランプ５ｅの５つが設けてあるが、もちろんこれにのみ限定されず、かご呼び釦１の数によりかご呼びランプ５の数も変わるものである。
【００２１】
また、エレベータのかごにはかご内音声合成装置１２ａ、かご内ブザー１２ｂ等のいたずら警報手段６が設けてあり、かご呼び釦１の操作により行き先階が入力されて該かご呼び釦１による入力がかご積載重量検出手段２により検出した積載重量に対してかご呼び最大登録数設定テーブル３に設定された最大かご呼び登録数を超える場合はかご呼び登録・取消手段１０にそれ以上のかご呼びの登録をしないと共に制御手段４により制御信号を出力していたずら警報手段６を構成するかご内音声合成装置１２ａによりそれ以上登録できないことをアナウンスしたり、かご内ブザー１２ｂを鳴動させて警報することでいたずら防止を行うようになっている。
【００２２】
図２にはかご呼び登録・取消手段のフローチャートが示してある。しかして、かご呼び釦１を操作して制御手段４に設けたかご呼び登録・取消手段１０に行き先階が入力されると、かご呼び登録・取消手段１０で該当の行き先階が既にかご呼び登録がしてあるか否かを判別し、該当の行き先階がかご呼び登録していない場合には、かご積載重量検出手段２により検出した積載重量を読み込み、次に、かご呼び最大登録数設定テーブル３を読み込んで、かご呼び登録数が積載荷重に対しての最大かご呼び登録数を超えているかどうかを判断し、超えていない場合にはかご呼び登録・取消手段１０に登録し（例えばかご呼び最大登録数設定テーブル３でパターンＡを選択してある場合、仮に積載荷重が８０ｋｇの時にかご呼び登録・取消手段１０に登録されたかご呼び登録数が１の時には最大かご呼び登録数３を超えていないので登録を行い）、かご呼び釦ランプ制御手段１１により該当するかご呼び釦１に対応して設けたかご呼びランプ５を点灯する。一方、かご呼び登録数が積載荷重に対しての最大かご呼び登録数を超えている場合（例えばかご呼び最大登録数設定テーブル３でパターンＡを選択してある場合、仮に積載荷重が８０ｋｇの時にかご呼び登録・取消手段１０に登録されたかご呼び登録数が４の時には最大かご呼び登録数３を超えるので）にはかご内音声合成装置１２ａ、かご内ブザー１２ｂ等のいたずら警報手段６により警報を行うことで、かご呼び釦１がいたずらで押されたことを知らせ、いたずら防止を図っている。
【００２３】
次に、図４乃至図６に基づいて本発明の実施形態を説明する。
【００２４】
本発明におけるエレベータはかごの昇降方向に存在する階の呼びに対して優先的に応答し現在の昇降方向と逆方向に対して登録ができない機能を持ったエレベータである。本実施形態においてもエレベータのかご内には前記参考例と同様にかご内操作盤（図示せず）が設けてあり、このかご内操作盤にかごの行き先階を指定して登録を操作するための複数のかご呼び釦１（図４に示す実施形態では前述の参考例と同様にかご呼び釦１としては１階用のかご呼び釦１ａ、２階用のかご呼び釦１ｂ、３階用のかご呼び釦１ｃ、４階用のかご呼び釦１ｄ、５階用のかご呼び釦１ｅ）が設けてある。
【００２５】
かご呼び釦１を操作すると制御手段４に設けたかご呼び登録・取消手段１０に行き先階が入力されるようになっている。
【００２６】
本実施形態においては、エレベータのかごの位置を検出するかご位置検出手段７が設けてあり、かご入り検出手段７で検出されたかご位置のデータが制御手段４に設けたかご呼び登録・取消手段１０に入力されるようになっている。また、かごが最上階又は最下階に着床している際にかごの戸の開時間をカウントするためのタイマー８が設けてあって、このタイマー８によるかごの戸の開時間のデータがかご呼び登録・取消手段１０に入力されるようになっている。また、制御手段４にはかごが最上階又は最下階に着床後戸開開始からの経過時間に対応して最大かご呼び登録数を設定した図６に示すようなかご呼び最大登録数設定テーブル９が設けてある。このかご呼び最大登録数設定テーブル９はかごが最上階又は最下階に着床後戸開開始からの経過時間と最大かご呼び登録数とを関連付けしたテーブルである。
【００２７】
かご呼び最大登録数設定テーブル９で関連付けられたかごが最上階又は最下階に着床後戸開開始からの経過時間と最大かご呼び登録数との関係を図６の実施形態で説明すると、最上階又は最下階に着床後からの経過時間が１．０秒未満の場合にはかごには乗客が乗り込まなかったとみなして最大かご呼び登録数はゼロとしてかご呼び登録数を登録しない（登録は受付ない）、上記経過時間が１．０秒以上〜１．５秒未満の場合には１人が乗り込んだとみなして最大かご呼び登録数を１とし、上記経過時間が１．５秒以上〜２．０秒未満の場合には２人が乗り込んだとみなして最大かご呼び登録数を２とし、上記経過時間が２．０秒以上〜２．５秒未満の場合には３人が乗り込んだとみなして最大かご呼び登録数を３とし、上記経過時間が２．５秒以上〜３．０秒未満の場合には４人が乗り込んだとみなして最大かご呼び登録数を４とし、上記経過時間が３．０秒以上〜３．５秒未満の場合には５人が乗り込んだとみなして最大かご呼び登録数を５とし、上記経過時間が３．５秒以上はかご呼び登録数を無制限としてある。
【００２８】
制御手段４には各かご呼び釦１に対応して設けられたかご呼びランプ５の点灯、消灯を制御するためのかご呼び釦ランプ制御手段１１が設けてあり、最上階又は最下階に着床してかご呼び釦１の操作により行き先階が入力された際、該かご呼び釦１による入力がタイマー８により検出した扉開後の経過時間との関係で上記かご呼び最大登録数設定テーブル９に設定された最大かご呼び登録数以内の場合にはかご呼びが上記のようにかご呼び登録・取消手段１０に登録され、かご呼び釦１による入力がかご呼び登録・取消手段１０に登録されると制御手段４に設けたかご呼び釦ランプ制御手段１１により該当するかご呼び釦１に対応して設けたかご呼びランプ５が点灯するように制御されるものである。
【００２９】
ここで、図４に示す実施形態ではかご呼び釦１が５個設けてあって、これに対応してかご呼びランプ５として１階用のかご呼びランプ５ａ、２階用のかご呼びランプ５ｂ、３階用のかご呼びランプ５ｃ、４階用のかご呼びランプ５ｄ、５階用のかご呼びランプ５ｅの５つが設けてあるが、もちろんこれにのみ限定されず、かご呼び釦１の数によりかご呼びランプ５の数も変わるものである。
【００３０】
一方、最上階又は最下階に着床してかご呼び釦１の操作により行き先階が入力された際、該かご呼び釦１による入力がタイマー８により検出した扉開後の経過時間との関係で上記かご呼び最大登録数設定テーブル９に設定された最大かご呼び登録数を超える場合にはかご呼び登録・取消手段１０への登録をせずに該かご呼び釦１の入力をキャンセルするようになっている。
【００３１】
図５には本実施形態のかご呼び登録・取消手段のフローチャートが示してある。しかして、かご呼び釦１を操作して制御手段４に設けたかご呼び登録・取消手段１０に行き先階が入力されると、かご呼び登録・取消手段１０で該当の行き先階が既にかご呼び登録がしてあるか否かを判別し、該当の行き先階がかご呼び登録していない場合には、かご位置検出手段７により検出したかご位置を読み込み、かごが最下階又は最上階に位置しているどうかを判断し、かごが最下階又は最上階に位置している場合は、かご呼び最大登録数設定テーブル９を読み込んで、かご呼び登録数が着床後におけるかごの戸の開からの経過時間との関係で最大かご呼び登録数を超えているかどうかを判断し、超えていない場合にはかご呼び登録・取消手段１０に登録し（例えば、経過時間が２秒以上〜２．５秒未満の場合にかご呼び登録数がが１の時には最大かご呼び登録数３を超えていないので登録を行い）、かご呼び釦ランプ制御手段１１により該当するかご呼び釦１に対応して設けたかご呼びランプ５を点灯する。一方、かご呼び登録数が着床後におけるかごの戸の開からの経過時間との関係で最大かご呼び登録数を超えている場合にはかご呼び登録・取消手段１０への登録をせずに該かご呼び釦１の入力をキャンセルすることで、最上階や最下階に着床後に降りる乗客がいたずらでかご呼び釦１を押した場合の登録を防止していたずら防止を行うものである。
【００３２】
かご位置が最上階あるいは最下階にない場合には、制御手段４のかご呼び登録・取消手段１０によりかご位置検出手段７で検出したデータをもとに該かご呼び釦１を操作して入力された行き先階が停止可能な階であるかどうかを判断し、停止可能ならばかご呼び登録・取消手段１０にかご呼びを登録し、かご呼び釦ランプ制御手段１１に点灯指令を出して該当するかご呼び釦１に対応して設けたかご呼びランプ５を点灯するように制御するものである。かご呼び登録・取消手段１０においてかご位置検出手段７で検出したデータをもとに該かご呼び釦１を操作して入力された行き先階が停止不可能であると判断された場合には、該かご呼びを登録しないものである。
【００３３】
【発明の効果】
上記のように本発明の請求項１記載の発明にあっては、かごの昇降方向に存在する階の呼びに対して優先的に応答し現在の昇降方向と逆方向に対して登録ができない機能を持ったエレベータにおいて、エレベータのかごの行き先階を指定するためのかご内に設けた複数のかご呼び釦と、かごの位置を検出するためのかご位置検出手段と、かごが最上階又は最下階に着床している際にかごの戸の開時間をカウントするためのタイマーと、かごが最上階又は最下階に着床後戸開開始からの経過時間に対応して最大かご呼び登録数を設定したかご呼び最大登録数設定テーブルと、かごが最上階又は最下階に着床時かご呼び釦の操作により行き先階が入力されて該かご呼び釦による入力がタイマーによって測定された着床後戸開開始からの経過時間に対してかご呼び最大登録数設定テーブルに設定された最大かご呼び登録数以内の場合にかご呼びを登録し且つ設定された最大かご呼び登録数を超える場合にそれ以上のかご呼びの登録をしないように制御するための制御手段を設けてあるので、エレベータのかごが反転するタイミングである最上階又は最下階に着床時にかごの戸の開時間をタイマーで計測し、戸の開時間によりかごに乗り降りする乗客のおおよその数を推定し、乗り降りする乗客数が少ない（つまり最大かご呼び登録数が少ない）にもかかわらずかご呼び釦の操作回数がかご呼び最大登録数設定テーブルに設定された設定数よりも多いと、かごから降りる乗客がいたずらでかご呼び釦を操作していると推定し、これによりいたずら操作によるエレベータのかごの無駄な運転を確実に防止することができるものである。
【００３４】
また、請求項２記載の発明にあっては、上記請求項１記載の発明の効果に加えて、かごが最上階又は最下階に着床後戸開開始からの所定時間までのかご呼び最大登録数設定テーブルに設定された最大かご呼び登録数がゼロであるので、かごが最上階又は最下階に着床後戸開開始からの所定時間まではかごから乗客が降りるだけで乗り場からかご内に未だ一人も乗り込んでいない時間であると推定し、この着床後戸開開始からの所定時間まではかご呼び釦が操作されるといたずらであるとみなして行き先入力をキャンセルし、エレベータのかごの無駄な運転を確実に防止することができるものである。
【００３５】
また、請求項３記載の発明にあっては、上記請求項２記載の発明の効果に加えて、かごが最上階又は最下階に着床後戸開開始からの所定時間を超えた状態で呼び釦の操作により行き先階が入力されて該かご呼び釦による入力がタイマーによって測定された着床後戸開開始からの経過時間に対してかご呼び最大登録数設定テーブルに設定された最大かご呼び登録数以内の場合にかご呼びを登録すると共にかご呼びランプを点灯するように制御する制御手段を設けてあるので、かご呼び釦の操作がいたずらでなく正しく操作された場合にはかご呼びランプが正しく点灯し、正常な運転が行われるものである。
【図面の簡単な説明】
【図１】  参考例のエレベータのいたずら防止システムの制御ブロック図である。
【図２】  同上のかご呼び登録・取消手段のフローチャートである。
【図３】  同上のかご呼び最大登録数設定テーブルを示す説明図である。
【図４】  本発明のエレベータのいたずら防止システムの実施形態の制御ブロック図である。
【図５】  同上のかご呼び登録・取消手段のフローチャートである。
【図６】  同上のかご呼び最大登録数設定テーブルを示す説明図である。
【符号の説明】
１  かご呼び釦
２  かご積載重量検出手段
３  かご呼び最大登録数設定テーブル
４  制御手段
５  かご呼びランプ
６  いたずら警報手段
７  かご位置検出手段
８  タイマー
９  かご呼び最大登録数設定テーブル
【図１】
0003832209.tif 000002
【図２】
0003832209.tif 000003
【図３】
0003832209.tif 000004
【図４】
0003832209.tif 000005
【図５】
0003832209.tif 000006
【図６】
0003832209.tif 000007